(57)【要約】【課題】弾球遊技機の発射ハンドルの内部構造の単純化を図る。【解決手段】発射ハンドル１は、前記リング１０、前記リングの回転軸となる軸部１３、該軸部１３に取り付けられて前記リング１０と共回りするハンドル側ギヤ２０、及び前記軸部１３を保持する軸受を内部に備えて端部が前記弾球遊技機の前面部分に取り付けられる基筒２が含まれる本体部と、前記ボリューム２９、及び前記ボリューム２９の軸２９ａに取り付けられていて前記ハンドル側ギヤ２０と歯合させられるボリューム側ギヤ２７が含まれるボリュームユニットとに分離して構成され、本体部とボリュームユニットとが別々に弾球遊技機に取り付けられるので、ボリューム２９が発射ハンドル１の内部に収容されるわけではなく、発射ハンドル１の内部構造が複雑化しないし、ボリューム２９の故障等でボリュームを交換する場合などの修理作業も容易になる。【選択図】図１
2009189720.tif 000002
【特許請求の範囲】
【請求項１】
時計回りに回されると発射装置の発射力を強める操作となるリングと、前記リングの前記時計回り方向への回転量に応じて抵抗値が変化するボリュームとを備えて弾球遊技機に装着される発射ハンドルにおいて、
前記リング、
前記リングの回転軸となる軸部、
該軸部に取り付けられて前記リングと共回りするハンドル側ギヤ、及び
前記軸部を保持する軸受を内部に備えて端部が前記弾球遊技機の前面部分に取り付けられる基筒
が含まれる本体部と、
前記ボリューム、及び
前記ボリュームの軸に取り付けられていて前記ハンドル側ギヤと歯合させられるボリューム側ギヤ
が含まれるボリュームユニットと
に分離して構成され、前記本体部と前記ボリュームユニットとが別々に前記弾球遊技機に取り付けられる
ことを特徴とする発射ハンドル。
【請求項２】
前記ハンドル側ギヤは、前記基筒の前記端部に切欠き状に設けられたギヤ用開放部から前記基筒の外部に臨んでおり、前記ボリューム側ギヤは前記ギヤ用開放部に入り込んで前記ハンドル側ギヤと歯合する
ことを特徴とする請求項１記載の発射ハンドル。
【請求項３】
前記ハンドル側ギヤの前記ボリュームユニット側になる端部及び前記ボリューム側ギヤの前記本体部側になる端部にはそれぞれ側板が備わり、
各前記側板は一部が切欠き状になっており、その切欠き状の部分でのみギヤ歯の端面を露呈させ、
前記側板の切欠き状の部分で前記ハンドル側ギヤのギヤ歯と前記ボリューム側ギヤのギヤ歯とを交互に位置させて前記ハンドル側ギヤ又は前記ボリューム側ギヤの軸方向に相対移動させることで両ギヤを歯合させ、また該歯合を解除することが可能である
ことを特徴とする請求項２記載の発射ハンドル。
【発明の詳細な説明】
【技術分野】
【０００１】
本発明は、弾球遊技機に装着される発射ハンドルの技術分野に属する。
【背景技術】
【０００２】
パチンコ機等の弾球遊技機では、発射装置にて遊技球を発射して遊技盤の遊技領域に打ち出し、その遊技球の遊技領域における挙動によって遊技が行われる。
発射装置による発射力の強弱は遊技者によって操作されるのが普通であり、そのための発射ハンドルが弾球遊技機に備わっている。
【０００３】
一般に遊技者による操作はリングを介して行われ、リングを時計回りに回せば発射装置の発射力を強める操作となり、この回転を反時計回りに戻せば発射力を弱める操作となる。
また、発射ハンドルには、このリングの時計回り方向への回転量に応じて抵抗値が変化するボリュームが備わっている。弾球遊技機は、この抵抗値の変化を例えば電位の変化として検出し、それに基づいて発射装置の発射力を制御するようになっている。
【０００４】
なお、リングの回転量を機械的に発射装置に伝達して発射力を調節する構成のものもあるが、これは本発明の対象外である。
【特許文献１】特開２００１−３５３２７０号公報
【発明の開示】
【発明が解決しようとする課題】
【０００５】
特許文献１に開示されるように、従来の発射ハンドルではボリュームが発射ハンドルの内部に収容されていた。このため、発射ハンドルの内部構造が複雑化していた。また、ボリュームの故障等でボリュームを交換する場合などの修理作業も容易ではなかった。
【課題を解決するための手段】
【０００６】
請求項１記載の発射ハンドルは、
時計回りに回されると発射装置の発射力を強める操作となるリングと、前記リングの前記時計回り方向への回転量に応じて抵抗値が変化するボリュームとを備えて弾球遊技機に装着される発射ハンドルにおいて、
前記リング、
前記リングの回転軸となる軸部、
該軸部に取り付けられて前記リングと共回りするハンドル側ギヤ、及び
前記軸部を保持する軸受を内部に備えて端部が前記弾球遊技機の前面部分に取り付けられる基筒
が含まれる本体部と、
前記ボリューム、及び
前記ボリュームの軸に取り付けられていて前記ハンドル側ギヤと歯合させられるボリューム側ギヤ
が含まれるボリュームユニットと
に分離して構成され、前記本体部と前記ボリュームユニットとが別々に前記弾球遊技機に取り付けられる
ことを特徴とする。
【０００７】
請求項１記載の発射ハンドルは、リング、リングの回転軸となる軸部、軸部に取り付けられてリングと共回りするハンドル側ギヤ、及び軸部を保持する軸受を内部に備えて端部が弾球遊技機の前面部分に取り付けられる基筒が含まれる本体部と、ボリューム、及びボリュームの軸に取り付けられていてハンドル側ギヤと歯合させられるボリューム側ギヤが含まれるボリュームユニットとに分離して構成され、本体部とボリュームユニットとが別々に弾球遊技機に取り付けられるので、ボリュームが発射ハンドルの内部に収容されるわけではなく、発射ハンドルの内部構造が複雑化しないし、ボリュームの故障等でボリュームを交換する場合などの修理作業も容易になる。
【０００８】
請求項２記載の発射ハンドルは、前記ハンドル側ギヤは、前記基筒の前記端部に切欠き状に設けられたギヤ用開放部から前記基筒の外部に臨んでおり、前記ボリューム側ギヤは前記ギヤ用開放部に入り込んで前記ハンドル側ギヤと歯合することを特徴とする請求項１記載の発射ハンドルであるから、ハンドル側ギヤとボリューム側ギヤとを歯合させる作業を行いやすい。
【０００９】
請求項３記載の発射ハンドルは、
前記ハンドル側ギヤの前記ボリュームユニット側になる端部及び前記ボリューム側ギヤの前記本体部側になる端部にはそれぞれ側板が備わり、
各前記側板は一部が切欠き状になっており、その切欠き状の部分でのみギヤ歯の端面を露呈させ、
前記側板の切欠き状の部分で前記ハンドル側ギヤのギヤ歯と前記ボリューム側ギヤのギヤ歯とを交互に位置させて前記ハンドル側ギヤ又は前記ボリューム側ギヤの軸方向に相対移動させることで両ギヤを歯合させ、また該歯合を解除することが可能である
ことを特徴とする請求項２記載の発射ハンドルである。
【００１０】
請求項３記載の発射ハンドルは、ハンドル側ギヤのボリュームユニット側になる端部及びボリューム側ギヤの本体部側になる端部にはそれぞれ側板が備わり、各側板は一部が切欠き状になっており、その切欠き状の部分でのみ各ギヤのギヤ歯の端面を露呈させる構成である。そして、この側板の切欠き状の部分でハンドル側ギヤのギヤ歯とボリューム側ギヤのギヤ歯とを交互に位置させて、つまり歯を谷に合わせて、ハンドル側ギヤ又はボリューム側ギヤを、その軸方向に沿って互いに近づける側に相対移動させることで両ギヤを歯合させることができる。
【００１１】
その歯合した状態からハンドル側ギヤ（又はボリューム側ギヤ）を回せば、切欠き状の部分に設けられているギヤ歯が、側板によって端をふさがれている谷とかみ合いになるので、ハンドル側ギヤ又はボリューム側ギヤを、その軸方向に沿って互いに離れる側に相対移動させても、両ギヤの歯合を解除できない。
【００１２】
しかし、上記の歯合させたときの状態に戻せば、ハンドル側ギヤ又はボリューム側ギヤを、その軸方向に沿って互いに離れる側に相対移動させて、両ギヤの歯合を解除できる。
ハンドル側ギヤとボリューム側ギヤとを互いに側板の切欠き状の部分で合わせることで歯合させ、また歯合を解除できるが、それ以外の回転位置では歯合を解除できないので、使用中に両ギヤの歯合が外れるのを防止できる。
【発明を実施するための最良の形態】
【００１３】
次に、本発明の実施例等により発明の実施の形態を説明する。なお、本発明は下記の実施例等に限定されるものではなく、本発明の要旨を逸脱しない範囲でさまざまに実施できることは言うまでもない。
［実施例］
図１、図２に示すように、本実施例の発射ハンドル１は、基筒２、回動部３、キャップ４の３部分に大別できる。
【００１４】
合成樹脂（例えばＡＢＳ）の成形品である基筒２は、直管状の基部５と膨らみ形状のリング隣接部６とを連接した構造である。基部５のリング隣接部６とは反対側の端は開口しており、基部５の内部には軸受７が設けられている。リング隣接部６には、その外面に開口し内部に突出したビス通筒部８が立設されている。また、リング隣接部６にはストップスイッチ９ａの操作部材９が取り付けられている。
【００１５】
回動部３は透光性の合成樹脂（例えばポリカーボネート）の成形品である。
回動部３にはリング１０が備わっている。リング１０の外周部には波状に凹凸した指掛け１１が設けられている。リング１０の内周部１２は円筒状で、その内側は空洞になっている。
【００１６】
また回動部３には、軸部１３が備わっている。軸部１３の外周部１４は円筒状で、軸受７に摺動回転可能に挿通されている。円筒状の外周部１４の内側には、補強部材を兼ねた一対のビス受１５が設けられている。これらビス受１５間は空洞であり、軸部１３の内部には貫通孔１６が形成されている。
【００１７】
軸部１３のリング１０側の端部にはスポーク板１７が連接されている。スポーク板１７は、またリング１０の内周部１２とも連接されている。つまり、軸部１３とリング１０とがスポーク板１７を介して一連になっており、軸部１３を回転軸としてリング１０を回すことができる。
【００１８】
なお、スポーク板１７にはビス通筒部８を通すための円弧状の穴１８が設けられているので、およそ１８０度の範囲ではリング１０を回してもスポーク板１７とビス通筒部８とが接触しない。つまり、リング１０の（回動部３の）回転範囲は、スポーク板１７の円弧状の穴１８とビス通筒部８とによって規定される。
【００１９】
軸部１３のスポーク板１７に隣接した端部にはねじれコイルバネ１９が装着されている。ねじれコイルバネ１９の一端はスポーク板１７に連結され、他端はリング隣接部６に連結されている。そして、ねじれコイルバネ１９は、回動部３を図１（ｂ）における反時計回り方向に付勢している。
【００２０】
このため、回動部３の回転位置は、これを回動する外力が及ぼされていないときには、ねじれコイルバネ１９の付勢力によって、上述のように規定される回転範囲の上記反時計回り方向の限度（以下、「原点」ともいう）にされる。
【００２１】
従って、回動部３は、原点と上述のように規定される回転範囲の上記時計回り方向の限度（以下、「回転限度」ともいう）との間で時計回り、反時計回りに回動可能である。
軸部１３の他方の端部にはハンドル側ギヤ２０が取り付けられている。ハンドル側ギヤ２０は合成樹脂の成形品で、略円筒状である。
【００２２】
ハンドル側ギヤ２０の内部にはビス止板２１と補強板２２とが設けられている。ハンドル側ギヤ２０は、このビス止板２１を貫通してビス受１５に螺合したビス（図示せず）によって軸部１３に連結されている。また、図示するようにビス受１５と補強板２２とが一連状になり、ハンドル側ギヤ２０の内孔２３と軸部１３の貫通孔１６とが連通する。
【００２３】
ハンドル側ギヤ２０の軸部１３から離れた側の端部外周には、複数のギヤ歯２４が設けられている。なお、ギヤ歯２４が設けられているのは、ハンドル側ギヤ２０の外周のおよそ半周にわたる範囲である。
【００２４】
このハンドル側ギヤ２０（ギヤ歯２４）は、基部５の端部に切欠き状に設けられたギヤ用開放部２５から外部に臨んでいる。そして、ギヤ歯２４はギヤ用開放部２５に入り込んでいるボリューム側ギヤ２７と歯合する。このハンドル側ギヤ２０とボリューム側ギヤ２７との歯合は、回動部３が原点〜回転限度の範囲にある限りは維持される。
【００２５】
なお、ハンドル側ギヤ２０（ギヤ歯２４）の側板２４ａ及びボリューム側ギヤ２７の側板２７ａには、それぞれの歯の３ピッチほどで切欠き状になっており、この部分であればハンドル側ギヤ２０（ギヤ歯２４）とボリューム側ギヤ２７とを軸方向に沿って近づける側に相対移動させることで歯合させ、また逆方向に相対移動させれば歯合を解除することができる。
【００２６】
その歯合した状態からハンドル側ギヤ２０（又はボリューム側ギヤ２７）を回せば、切欠き状の部分に設けられているギヤ歯が、側板２４ａ、２７ａによって端をふさがれている谷とかみ合いになるので、ハンドル側ギヤ２０又はボリューム側ギヤ２７を、その軸方向に沿って互いに離れる側に相対移動させても、両ギヤの歯合を解除できない。
【００２７】
ハンドル側ギヤ２０（ギヤ歯２４）とボリューム側ギヤ２７とを互いに側板２４ａ、２７ａの切欠き状の部分で合わせることで歯合させ、また歯合を解除できるが、それ以外の回転位置では歯合を解除できないので、使用中に両ギヤの歯合が外れるのを防止できる。
【００２８】
ボリューム側ギヤ２７はボリュームユニット２８の一部であり、ボリュームユニット２８は、図１、２には示さない弾球遊技機の本体部に取り付けられる。ボリューム側ギヤ２７はボリューム２９の軸２９ａに取り付けられている。ボリューム２９は軸２９ａの回転量に応じて抵抗値が変化する周知の可変抵抗である。
【００２９】
リング１０を回すと軸部１３と共にハンドル側ギヤ２０が回り、それに応じてボリューム側ギヤ２７が回るので、リング１０を回すことでボリューム２９の抵抗値が変化する。この変化が例えば電圧の変化として現れる回路を用いれば、リング１０の回動量を電気信号に変換できる。
【００３０】
キャップ４はリング１０を挟んで基筒２とは反対側に位置する。
キャップ４の頂部は、不透明な合成樹脂（例えばＡＢＳ）の成形品である第１殻体３１にて構成され、台部は透光性の合成樹脂（例えばポリカーボネート）の成形品である第２殻体３２にて構成されている。
【００３１】
第１殻体３１の内部にはボス３３が立設されているものの、それ以外は空洞で、第１基板３４を収容している。第１基板３４にはチップタイプの発光ダイオード（ＬＥＤ）３５が実装され、第１基板３４はＬＥＤ３５が実装されている面を第２殻体３２に向ける姿勢で配されている。
【００３２】
第２殻体３２の第１殻体３１側の端部には仕切板３６が設けられており、この端部は仕切板３６によって閉鎖されている。第１基板３４は、仕切板３６に立設されたボスにビス止めされて、仕切板３６すなわち第２殻体３２に取り付けられている。
【００３３】
第２殻体３２の内側には、円錐台の側面を凹曲面にした形状のリフレクタ３７が配されている。リフレクタ３７の裾縁部３８は、第２殻体３２の仕切板３６とは反対側の端部において、第２殻体３２の外側に突出している。リフレクタ３７は表面にクロムメッキされており、裾縁部３８はタッチセンサの検出接点として機能する。
【００３４】
ＬＥＤ３５を点灯すると、その光はリフレクタ３７の側面で反射されて第２殻体３２に入射し、第２殻体３２の外面から放射される。
リフレクタ３７は、頂面３９を仕切板３６に当接させて、また裾縁部３８の片面を第２殻体３２の仕切板３６とは反対側の端面に接触させており、頂面３９を貫通してボス３３に螺合したビス（図示せず）によって第１殻体３１に連結されている。併せて第２殻体３２も第１殻体３１に連結されている。
【００３５】
リフレクタ３７の開放端部４１は円筒状で、裾縁部３８よりリング１０側に突出してリング１０の内側に進入している。
この開放端部４１の内側には第２基板４２が配されている。第２基板４２にはチップタイプの発光ダイオード（ＬＥＤ）４３が実装され、第２基板４２はＬＥＤ４３が実装されている面を基筒２に向ける姿勢とされて、図示しないビスによりリフレクタ３７に取り付けられている。ＬＥＤ４３を点灯すると、その光は直接に、又は軸部１３やスポーク板１７等に反射されてリング１０に入射し、リング１０の外面から放射される。
【００３６】
上述のように第１殻体３１〜第２基板４２が相互に連結されてキャップ４としてユニット化されている。
そして、そのキャップ４は、ビス通筒部８に通したビス（図示しない）にてリング隣接部６すなわち基筒２と連結されている。しかし、キャップ４はリング１０（回動部３）とは連結されていないので、回動部３を回動できる。
【００３７】
なお、図示は省略するが発射ハンドル１にはストップスイッチ９ａ、第１基板３４、第２基板４２、裾縁部３８（タッチセンサ）のための配線が備わっている。軸部１３の貫通孔１６及びハンドル側ギヤ２０の内孔２３とが連通して形成される空洞部分は、これらの配線の通路として使用される。
【００３８】
この発射ハンドル１を装備した弾球遊技機の一例であるパチンコ機５０について、図３、図４、図５を参照して説明する。
パチンコ機５０の前面には、前面扉枠５１が配されている。詳しくは、外枠４５に中枠５８が取り付けられ、その中枠５８を介して前面扉枠５１が外枠４５に取り付けられている。その具体的な構成は、まず中枠５８が図示しない上下のヒンジ軸により外枠４５の上ヒンジ保持部４６（上ヒンジ軸受）、下ヒンジ保持部４７（下ヒンジ軸受）にそれぞれ連結されており、それら上下のヒンジ軸を中心にして外枠４５すなわちパチンコ機５０の本体部に対して扉状に開閉可能になっている。
【００３９】
中枠５８に備わっている上下のヒンジ軸は鋼管であって、それらの内孔が前面扉枠５１のためのヒンジ軸受として機能する。つまり、前面扉枠５１は図示しない上下のヒンジ軸をそれぞれ上述した中枠５８のヒンジ軸である鋼管に挿通させることで外枠４５に連結されており、それら上下のヒンジ軸を中心にして外枠４５すなわちパチンコ機５０の本体部に対して扉状に開閉可能になっている。
【００４０】
前面扉枠５１は図示しない上下のヒンジ軸により外枠４５の上ヒンジ保持部４６（上ヒンジ軸受）、下ヒンジ保持部４７（下ヒンジ軸受）にそれぞれ連結されており、それら上下のヒンジ軸を中心にして外枠４５すなわちパチンコ機５０の本体部に対して扉状に開閉可能になっている。
【００４１】
前面扉枠５１には遊技盤を臨ませるための窓５２が設けられており（図３〜５に示すのは遊技盤を装備していない状態である。）、窓５２を閉塞するためのガラス板が窓５２の背後に装着される。
【００４２】
窓５２の上方には電飾部５３が設けられている。窓５２の下方には上皿５４と下皿５５とが上下に重なるようにして配されている。
下皿５５の右側には発射ハンドル１が配されている。発射ハンドル１及び発射ハンドル１の支持盤部５７は、以下に詳細を説明するとおり前面扉枠５１ではなく中枠５８に取り付けられている。
【００４３】
図５に示すように、中枠５８は、アルミ押出成形品の２本の縦辺部６１と合成樹脂製の上横部６２及び下横部６３とで構成されている。そして、下横部６３にはハンドル保持部６９が設けられている。ハンドル保持部６９は略筒状で、ボリュームユニット２８は、図示のようにボリューム側ギヤ２７をハンドル保持部６９の内側に進入させた状態で、下横部６３にネジ止めされている。また、発射ハンドル１の基筒２（基部５）が、ハンドル側ギヤ２０とボリューム側ギヤ２７とを歯合させて、ハンドル保持部６９の内側に挿入され、下横部６３の裏面からネジ穴７１に通したビスを用いて基筒２（基部５）を固定される。
【００４４】
なお、支持盤部５７は、基筒２（基部５）を上記のようにネジ止めする前に基部５を支持盤部５７の開口に挿通させてあり、上記のネジ止め後に下横部６３にネジ止めされる。
ハンドル保持部６９の内側には電線用の穴７２が下横部６３の表裏に貫通して設けられている。第１基板３４及び第２基板４２につながる配線（ＬＥＤ３５、４３のための配線）は、この穴７２を通って電飾制御基板（図示は省略）に接続される。また、ストップスイッチ９及びタッチセンサのための配線は、ハンドル保持部６９に設けられた溝部７３を通って引き出されて、発射制御基板７４につながれる。
【００４５】
発射制御基板７４は、下横部６３の前面部に取り付けられており、その隣でやはり下横部６３の前面部に取り付けられている発射装置７５の動作（稼働、停止及び発射力）を制御する。
【００４６】
また、発射装置７５に重なるようにして配された発射球供給装置７６が下横部６３の前面部に取り付けられている。発射球供給装置７６は上皿５４から流入してくる遊技球を１球ずつ発射装置７５に供給するための装置であり、発射制御基板７４は、発射装置７５の発射動作と同期して遊技球が１球ずつ発射装置７５に供給されるように、発射球供給装置７６の動作を制御する。
【００４７】
図３、４にも示すように、中枠５８の前面には錠機構を操作するための鍵穴５９も取り付けられている。
中枠５８は、下横部６３の上面で遊技盤の下端面を支え、両方の縦辺部６１で遊技盤の左右を挟むようにして、遊技盤を保持する。
【００４８】
上述したように、中枠５８は上下のヒンジ軸により外枠４５の上ヒンジ保持部４６、下ヒンジ保持部４７にそれぞれ連結されていて、外枠４５すなわちパチンコ機５０の本体部に対して扉状に開閉可能になっている。
【００４９】
中枠５８の背面部には払出装置６５が取り付けられている。払出装置６５は、その上部に突出して設けられた導入部６６にて樋構造１２７に接続されており、球タンク１１７から流出して樋構造１２７を通ってきた遊技球が払出装置６５に流入する。払出装置６５は、スプロケット、ソレノイド、ストッパ等を内蔵しており、ソレノイドにて変位させられるストッパを解除位置にするとスプロケットが回転して流入してきた遊技球を送出し、ストッパを規制位置にすればスプロケットは回転できなくなって遊技球は送出されない構造である。払出装置６５から送出された遊技球は、中枠５８の下横部６３に設けられた賞球誘導路により上皿５４又は下皿５５に誘導される。
【００５０】
以上説明したように、実施例の発射ハンドル１は、リング１０を回動操作されると、その回転変位がリング１０、軸部１３、ハンドル側ギヤ２０、ボリューム側ギヤ２７の経路でボリューム２９に伝えられる。発射ハンドル１が装着されたパチンコ機５０では、リング１０の回動操作に伴うボリューム２９の抵抗値の変化を電気信号として取り出して、発射装置７５の発射力の調節に使用する。すなわち、発射ハンドル１は、時計回りに回されると発射装置７５の発射力を強める操作となるリング１０と、前記リング１０の前記時計回り方向への回転量に応じて抵抗値が変化するボリューム２９とを備えて弾球遊技機に装着される発射ハンドル１である。
【００５１】
そして、リング１０、リング１０の回転軸となる軸部１３、軸部１３に取り付けられてリング１０と共回りするハンドル側ギヤ２０、及び軸部１３を保持する軸受７を内部に備えて端部がパチンコ機５０の前面部分に取り付けられる基筒２が含まれる本体部と、
ボリューム２９、及びボリューム２９の軸２９ａに取り付けられていてハンドル側ギヤ２０と歯合させられるボリューム側ギヤ２７が含まれるボリュームユニット２８とに分離して構成され、本体部とボリュームユニット２８とが別々にパチンコ機５０に取り付けられる構成になっている。
【００５２】
発射ハンドル１は、本体部と、ボリュームユニット２８とに分離して構成され、本体部とボリュームユニット２８とが別々にパチンコ機５０に取り付けられるので、ボリューム２９が発射ハンドル１の内部に収容されるわけではなく、発射ハンドル１の内部構造が複雑化しないし、ボリューム２９の故障等でボリュームユニット２８を交換する場合などの修理作業も容易になる。
【００５３】
しかも、ハンドル側ギヤ２０は、基筒２の端部に切欠き状に設けられたギヤ用開放部２５から基筒２の外部に臨んでおり、ボリューム側ギヤ２７はギヤ用開放部２５に入り込んでハンドル側ギヤ２０と歯合する構造であるから、ハンドル側ギヤ２０とボリューム側ギヤ２７とを歯合させる作業を行いやすい。
【００５４】
更に、ハンドル側ギヤ２０（ギヤ歯２４）の側板２４ａ及びボリューム側ギヤ２７の側板２７ａには、それぞれの歯の３ピッチほどで切欠き状になっており、この部分であればハンドル側ギヤ２０（ギヤ歯２４）とボリューム側ギヤ２７とを軸方向に沿って近づける側に相対移動させることで歯合させ、また逆方向に相対移動させれば歯合を解除することができる。
【００５５】
その歯合した状態からハンドル側ギヤ２０（又はボリューム側ギヤ２７）を回せば、切欠き状の部分に設けられているギヤ歯が、側板２４ａ、２７ａによって端をふさがれている谷とかみ合いになるので、ハンドル側ギヤ２０又はボリューム側ギヤ２７を、その軸方向に沿って互いに離れる側に相対移動させても、両ギヤの歯合を解除できない。
【００５６】
ハンドル側ギヤ２０（ギヤ歯２４）とボリューム側ギヤ２７とを互いに側板２４ａ、２７ａの切欠き状の部分で合わせることで歯合させ、また歯合を解除できるが、それ以外の回転位置では歯合を解除できないので、使用中に両ギヤの歯合が外れるのを防止できる。また、ハンドル側ギヤ２０（ギヤ歯２４）とボリューム側ギヤ２７とをこのように歯合させ、また歯合を解除できる本体部とボリュームユニット２８との位置関係が、パチンコ機５０の組み立て時における両者の正しい位置決めとなるように設定しておくことで、組み立てが正確になる。
【００５７】
また、実施例の発射ハンドル１は、リング１０を透光性として、リング１０の内側に発光ダイオード４３を配した構成を採用しているので、遊技者によって回動操作されるリング１０を発光させることができる。リング１０には遊技者の指が掛けられるが指に隠れない部分も多いから、充分な電飾効果が得られる。
【００５８】
更には、発射ハンドル１は、発光ダイオード４３が実装された第２基板４２がリング１０の内側に配されているので、発射ハンドル１の内部空間を有効に利用できる。しかも、第２基板４２は、発光ダイオード４３が実装されている面を弾球遊技機の本体に向ける姿勢で配されているので、発光ダイオード４３からの光がリング１０の内側に照射されることになる。リング１０の内側に照射された光は、リング１０を透過してリング１０の外面から放射されるので、リング１０のほぼ全面を光らせることができる。
【図面の簡単な説明】
【００５９】
【図１】実施例の発射ハンドルの平面図（ａ）、正面図（ｂ）、Ａ−Ａ断面図（ｃ）及び斜視図（ｄ）。
【図２】実施例の発射ハンドルの分解斜視図。
【図３】実施例の発射ハンドルを装備したパチンコ機の正面図。
【図４】実施例の発射ハンドルを装備したパチンコ機の斜視図。
【図５】実施例の発射ハンドルを装備したパチンコ機において、前面扉枠などを撤去して中枠の正面部分を露出した状態の正面図。
【符号の説明】
【００６０】
１・・・発射ハンドル、
２・・・基筒、
３・・・回動部、
４・・・キャップ、
５・・・基部、
６・・・リング隣接部、
７・・・軸受、
８・・・ビス通筒部、
９・・・操作部材、
９ａ・・・ストップスイッチ、
１０・・・リング、
１１・・・指掛け、
１２・・・内周部、
１３・・・軸部、
１４・・・外周部、
１５・・・ビス受、
１６・・・貫通孔、
１７・・・スポーク板、
１８・・・穴、
１９・・・コイルバネ、
２０・・・ハンドル側ギヤ、
２１・・・ビス止板、
２２・・・補強板、
２３・・・内孔、
２４・・・ギヤ歯、
２４ａ・・・側板、
２５・・・ギヤ用開放部、
２７・・・ボリューム側ギヤ、
２７ａ・・・側板、
２８・・・ボリュームユニット、
２９・・・ボリューム、
２９ａ・・・軸、
３１・・・第１殻体、
３２・・・第２殻体、
３３・・・ボス、
３４・・・第１基板、
３６・・・仕切板、
３７・・・リフレクタ、
３８・・・裾縁部、
３９・・・頂面、
４１・・・開放端部、
４２・・・第２基板、
４３・・・発光ダイオード、
４５・・・外枠、
５０・・・パチンコ機、
５８・・・中枠、
６５・・・払出装置、
６９・・・ハンドル保持部、
７４・・・発射制御基板、
７５・・・発射装置、
７６・・・発射球供給装置、
１１７・・・球タンク、
１２７・・・樋構造。
【図１】
2009189720.tif 000003
【図２】
2009189720.tif 000004
【図３】
2009189720.tif 000005
【図４】
2009189720.tif 000006
【図５】
2009189720.tif 000007